(57)【要約】  水が盛られる外部容器と多数のホールが形成された内部容器のような二重容器で構成されて、水の補充や水の交換を容易にすることができ、多様なデコレーションにより審美感を増大させることができ、花や植生植物を安定に支持することができるようにした生け花及び植生用花器が開示されている。    【解決手段】  上記生け花及び植生用花器は、水が盛られる外部容器と、上記外部容器の内面に接して設置され、その下部に多数のホールが形成された内部容器と、上記内部容器の下面の中央部に垂直上方に設置された長さ調節可能な多機能支持部材とを含むことを特徴とする。
2009516564.tif 000002
【特許請求の範囲】
【請求項１】
水が盛られる外部容器と、
前記外部容器の内面に接して設置され、その下部に多数のホールが形成された内部容器と、
前記内部容器の下面に垂直上方に設置された多機能支持部材と、
を含むことを特徴とする生け花及び植生用花器。
【請求項２】
前記内部容器の外周面が面接触して結合するように、前記外部容器の上段部の内周面には環状の突出部がテーパして突出形成されることを特徴とする請求項１に記載の生け花及び植生用花器。
【請求項３】
前記外部容器の一側内周面に環状の縁部を一体形成することを特徴とする請求項１に記載の生け花及び植生用花器。
【請求項４】
前記多機能支持部材は長さ調整が可能であり、
被支持物を設置して立てる支え部と、
前記支え部を支持する第１支持台と、
前記第１支持台がスライディング可能に挿入される第２支持台と、
前記第２支持台がスライディング可能に挿入され、前記内部容器の下面に一体結合する第３支持台とを含み、
前記第１支持台の下段の外周面には溝が形成されており、前記溝にはスプリングとボールが挿入されて位置し、
前記第２支持台の上段の内周面には前記ボールが挿入されて結合できるように凹溝が形成され、その下段の外周面には溝が形成され、その溝にはスプリングとボールが挿入されて位置し、
前記第３支持台の上段の内周面には、前記ボールが挿入されて結合できるように凹溝が形成されることを特徴とする請求項１に記載の生け花及び植生用花器。
【請求項５】
花や植物を挿して安定的に支持できるように花支持装置をさらに具備することを特徴とする請求項１に記載の生け花及び植生用花器。
【請求項６】
前記花支持装置は、回転球連結支持装置であって、
球心を貫通するように貫通ホールが穿孔された多数の回転球をフレキシブル（flexible）な連結部材で連結して一つの回転球列で形成し、前記回転球列を複数個の結び目形態で連結して製作することを特徴とする請求項５に記載の生け花及び植生用花器。
【請求項７】
前記多機能支持部材は、
前記内部容器の底面に一体形成されるボルトタイプの固定部材と、
前記固定部材に結合される多数の支持台とを含み、
各々の支持台は下側に前記固定部材や他の支持台の一側に固定するためのナット部と、上側に他の支持台の他側に固定するためのボルト部とを具備することを特徴とする請求項１に記載の生け花及び植生用花器。
【請求項８】
前記多機能支持部材は、
前記内部容器の底面の中央を中心として円周方向に沿って等間隔で離隔して設置される多数の支持部材を含み、前記各々の支持部材は内部容器の底面に固定設置された固定部材に結合されて直立されることを特徴とする請求項１に記載の生け花及び植生用花器。
【請求項９】
前記多数の支持部材には、回転球連結支持装置が複層で巻かれて固定設置されることを特徴とする請求項８に記載の生け花及び植生用花器。
【請求項１０】
前記内部容器の上段縁部にフランジ部を一体形成することを特徴とする請求項１に記載の生け花及び植生用花器。 
【発明の詳細な説明】
【技術分野】
【０００１】
本発明は、生け花及び植生用花器に関し、より詳しくは、水が盛られる外部容器と多数のホールが形成された内部容器のような二重容器で構成されて、水の補充や水の交換を容易にすることができ、多様なデコレーションにより審美感を増大させることができ、花や植生植物を安定に支持することができるようにした生け花及び植生用花器に関する。
【背景技術】
【０００２】
産業化と共に、自然親和的な住居環境が自然から隔離または離隔される都市生活が一般化されるにつれて、緑地空間、緑色植物、特に花卉植物や観賞植物などに対する一般人の観賞目的、またはインテリアー目的の需要が増加している。  ビニールハウスなどの園芸作物栽培技法などが発達するにつれて、大韓民国のような四季が明確な国では、花卉植物や観賞植物などが時期的な制限無しで園芸作物市場を通じて供給されることによって、一般家庭や事業場などの所定の場所に配置されて、観賞またはインテリアーの目的を達成することにはあまり問題がなくなった。
【０００３】
しかしながら、このような園芸作物に対する何時出荷のための栽培技法などが発達したにもかかわらず、一般家庭や事業場などの室内外空間に置かれた後、持続的な管理方法や技術が管理者の機能的な面に偏重されるため、管理方法に対するノウハウを持っていない多くの需要者に供給された花卉や観賞植物は、直ちに枯れたり、枯れてしまって、観賞やインテリアーの目的が十分に達成できない問題点がある。
【０００４】
一般に、花卉植物または観賞植物が根が付いている一体の形態で需要者に供給される場合もあるが、大部分の花卉作物の場合は、作物の中間茎を切断して需要者に供給されるため、新鮮度管理などに管理が疎かな場合には直ちに枯れてしまう問題点があった。
【０００５】
従来には単純に花瓶の内に所定量の水を込めた後、購入した花卉作物、例えば花束を挿す方法により管理したり、その切断面に一定の薬品を処理して花や緑色の葉が褪せることを遅延させる方法により需要者の管理方法に依存することが一般的であった。
【０００６】
特に、花卉植物の大部分は、前述したように、中間部分が切断された形態で最終需要者に伝えられるため、植木鉢植栽の方法を利用することはできず、花瓶や特別な形態の花器を使用しなければならない。
【０００７】
しかしながら、従来の花瓶や花器は単純に水を込めて花を挿す形態を取るため、水を交換する場合、花を花瓶から分離させた後、新たな水に交替しなければならない面倒さがあった。
【０００８】
併せて、このような水の交換作業時に花弁が落ちたり葉脈や葉が損傷される問題点が発生することがある。
【０００９】
また、花瓶や花器には花や植物を支持することができる装置がないので、花瓶や花器を運搬する場合、生け花の形態が変形されるか、花瓶の内の水がだぶだぶと揺れて外にあふれる問題点が発生することがある。
【００１０】
また、従来の生け花に使われている花茎の固定手段は、単純に針板、フローラルフォームに花茎の下段部分を挿入し、これによる挿入力により花茎の下段のみを固定するようになっていて、花茎の下段に異常が発生する場合、花茎の位置を固定することができず、これによって、立派なフローリストであっても希望する美しさで演出することが困難になる問題点が発生した。
【００１１】
また、花茎の下段部分のみ固定できるようになっていて、花茎の長さが長い場合、支持力の弱化現象及び風のような外部環境により位置が固定できなくて、揺れたり曲がることになる場合が発生することがある。
【００１２】
また、フローラルフォームの場合、花茎の端部が損傷されないように挿入されるが、針板の場合、花茎の端部が針板に挿されることになるので、花茎の端部に損傷が発生し、これによって花の寿命が短くなる問題点があった。
【００１３】
また、花瓶に花を入れて保管する場合、花瓶には針板やフローラルフォームのような固定手段がないので、花瓶に刺さることになる花の量が少ないと、花瓶の入口部分で花茎の長さによって花が互いに自由に位置することになるので、希望する美しさで演出できないという問題点があった。
【００１４】
このような問題点のため、一般需要者が容易に管理、運搬、保管することができる他の代案が提起される必要性があった。
【００１５】
このように、一般需要者の管理方法に従い、観賞植物、花卉植物などの生命力、または新鮮度の維持を管理者のみに任せておくよりは、別途の管理容器、例えば適切な水分供給と栄養供給が一定期間の間持続的になされることができる花器に対する開発は、一般需要者の要求に応じることは勿論、観賞植物、花卉植物を供給する園芸業者の多様な商品化意図と符合することであり、従って、本発明はこのような背景を土台にして案出されたものである。
【発明の開示】
【発明が解決しようとする課題】
【００１６】
本発明の目的は、上記のような問題点を解決するために案出したものであって、水が盛られる外部容器と多数のホールが形成された内部容器のような二重容器で構成されて、水の補充や水の交換を容易にすることができるようにした生け花及び植生用花器を提供することにある。
【００１７】
本発明の他の目的は、多様なデコレーションにより審美感を増大させることができるようにした生け花及び植生用花器を提供することにある。
【００１８】
本発明の更に他の目的は、フローラルフォームの代りに結び目型花支持装置を具備することによって、花や植生植物を安定に支持できるようにした生け花及び植生用花器を提供することにある。
【００１９】
本発明の更なる他の目的は、花器の移動中に花器の内部に充填された水が外部に流れ出ないようにした生け花及び植生用花器を提供することにある。
【課題を解決するための手段】
【００２０】
上記のような目的を達成するために、本発明に係る生け花及び植生用花器は、水が盛られる外部容器と、上記外部容器の内面に接して設置され、その下部に多数のホールが形成された内部容器と、上記内部容器の下面の中央部に垂直上方に設置された長さ調節可能な多機能支持部材とを含むことを特徴とする。
【００２１】
上記内部容器の外周面が面接触して結合するように、上記外部容器の上段部の内周面には環状の突出部がテーパして突出形成されることを特徴とする。
【００２２】
上記外部容器の一側内周面に環状の縁部を一体形成することを特徴とする生け花及び植生用花器。
【００２３】
上記多機能支持部材は、蝋燭、葉書、または名刺等の被支持物を設置して立てる支え部と、上記支え部を支持する第１支持台と、上記第１支持台がスライディング可能に挿入される第２支持台と、上記第２支持台がスライディング可能に挿入され、上記内部容器の下面に一体で結合する第３支持台とを含み、上記第１支持台の下段の外周面には溝が形成されており、上記溝にはスプリングとボールが挿入されて位置し、上記第２支持台の上段の内周面には上記ボールが挿入されて結合できるように凹溝が形成され、その下段の外周面には溝が形成され、その溝にはスプリングとボールが挿入されて位置し、上記第３支持台の上段の内周面には、上記ボールが挿入されて結合できるように凹溝が形成されることを特徴とする。
【００２４】
花や植物を挿して安定的に支持できるように、花支持装置をさらに具備することを特徴とする。
【００２５】
上記花支持装置は、回転球連結支持装置であって、球心を貫通するように貫通ホールが穿孔された多数の回転球をフレキシブル（flexible）な連結部材で連結して一つの回転球列で形成し、上記回転球列を複数個の結び目形態で連結して製作することを特徴とする。
【発明の効果】
【００２６】
本発明は、水が盛られる外部容器と多数のホールが形成された内部容器のような二重容器で構成されて、水の補充や水の交換を容易にすることができる。
【００２７】
また、多様なデコレーションにより審美感を増大させることができ、花器の移動中に花器の内部に充填された水が外部に流れ出ないようにする長所がある。
【００２８】
また、フローラルフォームの代りに結び目型花支持装置を具備することによって、花や植生植物を安定に支持することができる。
【００２９】
本発明は、折枝された植物や枝、または水耕植物などを容易に支持及び飾ることができ、かつ、そのような植物や枝等に水を円滑に交換することができるという長所がある。
【発明を実施するための最良の形態】
【００３０】
以下、添付された図面を参照しつつ本発明に係る生け花及び植生用花器について詳細に説明する。
【００３１】
本発明の目的及び構成上の特徴は、添付された図面及び以下に記述される本発明の詳細で、かつ好ましい実施形態の説明により、一層明確になる。また、図面において、互いに同一乃至類似の部分は、説明及び理解の便宜上、同一乃至類似の参照符号で記載されている点に留意する必要がある。
【００３２】
図１は本発明の第１実施形態に係る生け花及び植生用花器の分解斜視図であり、図２は図１の結合図である。
【００３３】
本発明の多様な実施形態に係る生け花及び植生用花器は、根がある花や植物を用土に植えて支持する植木鉢とは異なるものであって、水分のみを利用して根がない折枝された花や植物を生育させたり、または根を維持したまま上記根から土をすべて払い落として、水耕の形態で生育させ、それらを飾るための容器である。
【００３４】
本発明の第１実施形態に係る生け花及び植生用花器１００は、水が盛られる外部容器１１０と、外部容器１１０の内面に接して設置される内部容器１２０とを含む。
【００３５】
外部容器１１０は、水を盛ることができる容器の形態であれば、どんな形状でも関係ない。但し、本発明の実施形態では説明を容易にするために、半円形のボウル（bowl）形状を持つ外部容器１００について説明する。
【００３６】
選択的に、外部容器１１０の円形縁部の複数の位置に円形環１１２を設置し、上記円形環に半円形連結台１７０を連結して、花器１００を運搬するための取っ手として使用する。半円形連結台１７０は一対で設置されることができ、この際、各々の半円形連結台１７０は相互間に横切って設置されることが好ましい。
【００３７】
内部容器１２０は、その内側に花支持装置を設置し、花や植物を飾ることができるように凹んだ形状の容器のものが好ましくて、内部容器１２０の上段部の外周面が外部容器１１０の上段部の内周面と面接触して結合することで、安定に位置するようになる。
【００３８】
また、内部容器１２０は下部に多数のホール１２２が形成されており、多数のホール１２２は花や植物に水を供給するためのものである。即ち、外部容器１１０に盛られた水が上記多数のホール１２２を通じて内部容器１２０に飾られる花や植物に供給される。
【００３９】
このように、外部容器１１０と内部容器１２０のような二重容器構造において、外部から水を供給する場合には、内部容器１２０の多数のホール１２２を通じて外部容器１１０の収容部まで円滑に水を満たすことができる。
【００４０】
しかしながら、水が充填された後には内部容器１２０のため、花器の運搬や傾け等により外部容器１１０が動く場合に、外部容器１１０の内部の水が揺れたり振れたりしてこぼれる現象があまり生じないようになる。
【００４１】
特に、花器の内部の水を交換する場合には花や植物が飾られている内部容器１２０の全体を外部容器１２０から分離させた後、外部容器１２０に盛られている水を交替した後に、また内部容器１２０を外部容器１２０に装着しさえすればよい。
【００４２】
また、選択的に、内部容器１２０の下面の中央部に折畳可能な多機能支持部材１３０を一体型で設置することができるが、この際、多機能支持部材１３０は、その長さを伸ばしたり縮めることができるようにする構成を持つことが好ましい。
【００４３】
即ち、多機能支持部材１３０は、長さが調節できるアンテナと類似の構成を持つことによって、その長さを容易に調節することができる。多機能支持部材１３０は、支え部１３９の形態を適切に変形して蝋燭台として使用することもでき、名刺や祝賀用メッセージカードを挟むために使用することもでき、内部容器１２０を持ち上げるための取っ手として使用することができる。
【００４４】
特に、上記のように、多機能支持部材１３０を通じて内部容器１２０を持ち上げることによって、内部容器１２０に装飾された花の形態をそのまま維持させながら外部容器１１０の水を容易に交換したり補充することができる。
【００４５】
図３は本発明の第１実施形態に係る生け花及び植生用花器の半断面分解斜視図であり、図４は図３の結合断面図である。
【００４６】
図３及び図４に示すように、内部容器１２０の外周面が外部容器１１０の内周面に面接触することで、二重容器構造を持つ花器が完成される。この際、外部容器１１０の上段部の内周面には環状の突出部１１５がテーパして突出されており、上記テーパした環状の突出部１１５に内部容器１２０の外周面が接して面結合するものである。即ち、内部容器１２０は、外部容器１１０の上段部の内周面に形成された環状の突出部１１５のため、これ以上下方に降りず、かかることになる。
【００４７】
一方、内部容器１２０を外部容器１１０に結合させる方法は、上記のような方法の以外にも多様に提案されることができ、そのような変更や変形が本発明の範囲を逸脱するのではない。
【００４８】
このように、内部容器１２０が外部容器１１０の内側に設置された後に、水Ｗを注ぐことになると、図４に示すように、内部容器１２０の多数のホール１２２を通じて外部容器１１０の底面から水が充填されて内部容器１２０の一定部分まで水が満たされることになる。
【００４９】
勿論、下記に説明されるが、内部容器１２０の内部には花を支持することができる支持装置が設置されることができ、上記支持装置には花や植物が挿入されて装飾できるものである。また、多機能支持部材１３０はアンテナ方式と類似するように、使用者の選択に従って長さが調節された後に使われることができる。
【００５０】
図５は、本発明に使われる多機能支持部材を詳細に示す拡大断面図である。
【００５１】
図５に示すように、本発明の多機能支持部材１３０は、被支持物を設置して立てる支え部１３９、支え部１３９を支持する第１支持台１３１、第１支持台１３１がスライディング可能に挿入される第２支持台１３２、及び第２支持台１３２がスライディング可能に挿入され、内部容器１２０の下面に一体結合する第３支持台１４５を含む。
【００５２】
この際、第１支持台１３１の下段の外周面には溝が形成されており、上記溝にはスプリング１３４とボール１３３が挿入されて位置する。また、第２支持台１３２の上段内周面にはボール１３３が挿入されて結合できるように凹溝１３５が形成され、その下段外周面には溝が形成され、その溝にはスプリング１３７とボール１３６が挿入されて位置する。そして、第３支持台１４５の上段内周面にはボール１３６が挿入されて結合できるように凹溝１３８が形成される。
【００５３】
したがって、使用者の選択に従い、多機能支持部材を上方に引っ張ると、第１支持台１３１が第２支持台１３２に対して上方に昇降されながら、ボール１３３がスプリング１３４の復原力により凹溝１３５に挿入されながら第１支持台１３１が上方に昇降した状態で第２支持台１３２に支持される。
【００５４】
また、その状態で使用者が多機能支持部材をさらに引っ張ると、第２支持台１３２が第３支持台１４５に対して上方に昇降されながら、ボール１３６がスプリング１３７の復原力により凹溝１３８に挿入されながら、第２支持台１３２が上方に昇降した状態で第３支持台１４５に支持される。
【００５５】
逆に、使用者が多機能支持部材を下方に下降させようと力を加えると、ボール１３３がスプリング１３４を押し込みながら下降するために、第１支持台１３１と第２支持台１３２が各々第２支持台１３２と第３支持台１４５の内部に挿入される。
【００５６】
図６は、本発明の第２実施形態に係る生け花及び植生用花器の半断面斜視図である。
【００５７】
図６に示すように、本発明の外部容器１１０は、その一側内周面に環状の縁部１２９を一体形成して、内部容器１２０の外周部の一側が上記環状の縁部１２９にかかって安着するようにすることで、内部容器１２０を外部容器１１０に安定に装着されるようにすることもできる。
【００５８】
図７は、本発明の第１実施形態に係る生け花及び植生用花器の実使用状態を示す分解斜視図である。
【００５９】
図７に示すように、本発明の第１実施形態に係る生け花及び植生用花器は、水の揺れを最大限防止し、花や植物を挿して安定的に支持できるようにする回転球連結支持装置２００をさらに具備することを除いては、本発明の一実施形態に係る生け花及び植生用花器と同一である。
【００６０】
即ち、回転球連結支持装置２００は、図８に示すように、貫通ホール２１５が穿孔された多数の回転球２１０をフレキシブル（flexible）な連結部材２２０により連結して支持体を製作し、上記支持体を複数個の結び目形態で連結して回転球連結支持装置２００を製作する。
【００６１】
回転球２１０は、球心を貫通するように貫通ホール２１５が形成されており、貫通ホール２１５内に連結部材２２０が経由して多数個の回転球２１０を一つの回転球列で形成する。この際、回転球２１０は設置される花茎を支持し、損傷を与えないように、０．３〜１．５cmの直径を有することが好ましい。
【００６２】
また、一側回転球列とこれに隣接する更に他の回転球列は花茎の直径に対して約０．５〜１．５倍の間隔を維持して設置される。
【００６３】
また、回転球２１０は、その外部面に、スポンジ、ウレタンフォーム、不織布、フローラルフォーム、綿のように、内部に気孔を具備する吸収緩衝材が設置されたり、外部面に沿ってコーティングされることもできる。
【００６４】
また、回転球２１０は、内部に密閉された空間を具備し、上記空間内に空気が充填され、外部面に沿って、スポンジ、ウレタンフォーム、フローラルフォームなどの吸収緩衝材が付着またはコーティングされることもできる。
【００６５】
また、連結部材２２０は伸縮性を具備しており、繊維、人造繊維、合成樹脂、光ファイバのように、連続的なものを使用することができ、チェーンまたは多数個のリングタイプ連結環のように、分離されている多数個の連結手段を互いに結合または連結して使用することができる。
【００６６】
使用者の選択に従って、発明に係る花器には、前述した回転球連結支持装置２００を利用して花や植物を支持することが審美感や安定的な側面で好ましいが、必要によっては、従来に使われてきたフローラルフォームや針板などを利用して花や植物を支持することもできる。
【００６７】
図９は、本発明の第１実施形態に係る生け花及び植生用花器の実使用状態図である。
【００６８】
図９に示すように、本発明に係る花器１００には、回転球連結支持装置２００が設置され、その回転球連結支持装置２００に花３００や植物を挿入して飾ることができ、多機能支持部材１３０には蝋燭１３５を挿して使用することができる。この際、内部容器１２０に設置された回転球連結支持装置２００には水が持続的に供給されることができ、最終的には花や植物に水を供給することができる。
【００６９】
図１０は本発明の第３実施形態に係る生け花及び植生用花器を示す分解斜視図であり、図１１は図１０の結合斜視図である。
【００７０】
図１０及び図１１に示すように、本発明の第３実施形態に係る生け花及び植生用花器は、内部容器の構成が前述した本発明の第１実施形態に係る生け花及び植生用花器のそれと相異することを除いては同一である。
【００７１】
即ち、本発明の第３実施形態に係る生け花及び植生用花器の内部容器３２０は、下部に多数のホール３２２が形成されている。また、選択的に内部容器３２０の下面中央部には多機能支持部材３３０が設置されることができる。
【００７２】
多機能支持部材３３０は、内部容器３２０の底面に一体形成されるボルトタイプの固定部材３３１、及び固定部材３３１に結合される多数の支持台３３３、３３６を具備する。多数の支持台３３３、３３６のうち、一番高い所に位置した支持台３３６には各種支持物を支持したり掛けることができる支え部３３９が設置されることができる。
【００７３】
この際、各々の支持台３３３は、下側に固定部材３３１や他の支持台の一側に固定するためのナット部３３２、及び上側に他の支持台の他側に固定するためのボルト部３３４を具備する。
【００７４】
図１２は本発明の第４実施形態に係る生け花及び植生用花器を示す分解斜視図であり、図１３は図１２の結合斜視図である。
【００７５】
図１２及び図１３に示すように、本発明の第４実施形態に係る生け花及び植生用花器は、内部容器の構成が前述した本発明の第１実施形態に係る生け花及び植生用花器のそれと相異することを除いては同一である。
【００７６】
即ち、本発明の第４実施形態に係る生け花及び植生用花器の内部容器４２０は、下部に多数のホール４２２が形成されている。また、選択的に内部容器３２０の下面には多機能支持部材が設置されることができる。
【００７７】
上記多機能支持部材は、内部容器４２０の底面の中央を中心にして、円周方向に沿って等間隔で離隔して設置される多数の支持部材４３０を含む。
【００７８】
上記各々の支持部材４３０は、内部容器４２０の底面に固定設置された固定部材４３１に結合されて直立される。
【００７９】
上記多数の支持部材４３０には、回転球連結支持装置２００が複層で巻かれて固定設置されることができ、使用者は、回転球連結支持装置２００に花を挿して使用することができる。
【００８０】
回転球連結支持装置２００は、回転球を一列で連結したものであって、回転球連結支持装置２００を多数の支持部材４３０にジグザグで連結して多様な形状を作ることができる。例えば、星形で作ることもでき、円形、四角形、五角形、または三角形のように、多様な形状を作ることができる。
【００８１】
図１４は、本発明の第５実施形態に係る生け花及び植生用花器を示す分解斜視図である。
【００８２】
図１４に示すように、本発明の第５実施形態に係る生け花及び植生用花器は、内部容器５２０の上段縁部にフランジ部５２５を一体形成したことを除いては、本発明の第３実施形態と同一である。上記フランジ部５２５は、外部容器１１０に安定に掛かって位置する。
【００８３】
図１５は、本発明の第６実施形態に係る生け花及び植生用花器を示す分解斜視図である。
【００８４】
図１５に示すように、本発明の第６実施形態に係る生け花及び植生用花器は、外部容器１１０の両側に取っ手６３６のフック部６３９を掛けるための収容部６５７を設置し、取っ手６３６のフック部６３９を収容部６５７に掛けて花器が運搬できるようにしたことを除いては、本発明の第３実施形態と同一である。
【図面の簡単な説明】
【００８５】
【図１】本発明の第１実施形態に係る生け花及び植生用花器の分解斜視図である。
【図２】図１の結合図である。
【図３】本発明の第１実施形態に係る生け花及び植生用花器の半断面分解斜視図である。
【図４】図３の結合断面図である。
【図５】本発明に使われる多機能支持部材を詳細に示す拡大断面図である。
【図６】本発明の第２実施形態に係る生け花及び植生用花器の半断面斜視図である。
【図７】本発明の第１実施形態に係る生け花及び植生用花器の実使用状態を示す分解斜視図である。
【図８】本発明に係る回転球連結支持装置の構成を詳細に示す拡大図である。
【図９】本発明の第１実施形態に係る生け花及び植生用花器の実使用状態図である。
【図１０】本発明の第３実施形態に係る生け花及び植生用花器を示す分解斜視図である。
【図１１】図１０の結合斜視図である。
【図１２】本発明の第４実施形態に係る生け花及び植生用花器を示す分解斜視図である。
【図１３】図１２の結合斜視図である。
【図１４】本発明の第５実施形態に係る生け花及び植生用花器を示す分解斜視図である。
【図１５】本発明の第６実施形態に係る生け花及び植生用花器を示す分解斜視図である。
【符号の説明】
【００８６】
１００…生け花及び植生用花器
１１０…外部容器、
１１２…円形管、
１１５…突出部、
１２０…内部容器、
１２２…ホール、
１２９…縁部、
１３０…多機能支持部材、
１３１…第１支持台、
１３２…第２支持台、
１３３…ボール、
１３４…スプリング、
１３５…凹溝、
１３６…ボール、
１３７…スプリング、
１３８…凹溝、
１３９…支え部、
１４５…第３支持台、
１７０…半円形連結台、
２００…回転球連結支持装置、
２１５…貫通ホール、
２１０…回転球、
２２０…連結部材、
３２０…内部容器、
３２２…ホール、
３３０…多機能支持部材、
３３１…固定部材、
３３２…ナット部、
３３４…ボルト部、
３３３…支持台、
３３６…支持台、
４２０…内部容器、
４２２…ホール、
４３０…支持部材、
４３１…固定部材、
５２０…内部容器、
５２５…フランジ、
６３６…取っ手、
６３９…フック部、
６５７…収容部。
【図１】
2009516564.tif 000003
【図２】
2009516564.tif 000004
【図３】
2009516564.tif 000005
【図４】
2009516564.tif 000006
【図５】
2009516564.tif 000007
【図６】
2009516564.tif 000008
【図７】
2009516564.tif 000009
【図８】
2009516564.tif 000010
【図９】
2009516564.tif 000011
【図１０】
2009516564.tif 000012
【図１１】
2009516564.tif 000013
【図１２】
2009516564.tif 000014
【図１３】
2009516564.tif 000015
【図１４】
2009516564.tif 000016
【図１５】
2009516564.tif 000017
【国際調査報告】
2009516564.tif 000018
2009516564.tif 000019